(57)【要約】【課題】メモリカードの飛び出しを防止したメモリカード用ソケットを提供する。【解決手段】ハウジング３内部に挿入されたメモリカードに当接して押力を受けハウジング３に対してスライドするスライダー５と、スライダー５を取出方向に付勢するコイルばね１３と、メモリカードの接続端子がコンタクト１０に接触する保持位置よりも奥のロック位置までスライダー５が押し込まれるとスライダー５の取出方向への移動を禁止すると共に、スライダー５がロック位置よりも奥まで一旦押し込まれた状態で押力が解除されるとスライダー５を解放するロック機構とを備え、カード取出時にメモリカードが接触位置よりも浅い位置まで移動した状態で、メモリカードに設けたロック用凹部と対向するハウジング３の部位に、メモリカード側に突出してロック用凹部と弾接する押え片２５を形成する。【選択図】      図１
2004362892.tif 000002
【特許請求の範囲】
【請求項１】
前部に開口したカード挿入口を通してメモリカードがスライドして挿抜されるハウジングと、ハウジングの内部に保持されメモリカードに設けた接続端子に接触する複数本のコンタクトと、ハウジング内部に挿入されたメモリカードに当接して押力を受け、ハウジングに対してメモリカードの挿抜方向に沿ってスライドするスライド部材と、メモリカードを取り出す際にスライドする取出方向にスライド部材をハウジングに対して付勢する付勢ばねと、メモリカードの接続端子がコンタクトに接触する保持位置よりも奥のロック位置までスライド部材が押し込まれるとスライド部材の前記取出方向への移動を禁止すると共に、スライド部材が前記ロック位置よりも奥まで一旦押し込まれた状態で押力が解除されるとスライド部材を解放するロック機構と、メモリカードにおける接続端子が設けられた面と反対側の面に弾接する弾接部とを備え、当該弾接部は、カード取出時にメモリカードの接続端子がコンタクトと開離してからスライド部材が前端の取出位置に移動するまでの間にメモリカードに形成されたロック用凹部が通過するハウジングの部位に形成されたことを特徴とするメモリカード用ソケット。
【請求項２】
ハウジングは金属の薄板に曲げ加工を施して箱形に形成され、ハウジングにおけるロック用凹部との対向部位に複数本のスリットが並設され、前記複数本のスリットで挟まれた部位の中間部をメモリカード側に突出させて形成された押さえ片により上記弾接部を構成したことを特徴とする請求項１記載のメモリカード用ソケット。
【請求項３】
ハウジングは金属の薄板に曲げ加工を施して箱形に形成され、ハウジングにおけるロック用凹部との対向部位を切り起こして形成され、一端がハウジングに連結されて固定端となり、自由端側がメモリカード側に突出してロック用凹部と弾接する押さえ片により上記弾接部を構成したことを特徴とする請求項１記載のメモリカード用ソケット。
【発明の詳細な説明】
【０００１】
【発明の属する技術分野】
本発明は、ＳＤメモリカードやマルチメディアカードやミニＳＤカードのようなメモリカードを挿抜自在に接続するためのメモリカード用ソケットに関するものである。
【０００２】
【従来の技術】
この種のメモリカード用ソケットとしては、前部に開口したカード挿入口を通してメモリカードがスライドして挿抜されるハウジングと、ハウジングの内部に保持されメモリカードに設けた接続端子に接触する複数本のコンタクトと、ハウジング内部に挿入されたメモリカードに当接して押力を受け、ハウジングに対してメモリカードの挿抜方向に沿ってスライドするスライド部材と、メモリカードを取り出す際にスライドする取出方向にスライド部材をハウジングに対して付勢する付勢ばねと、メモリカードの接続端子がコンタクトに接触する保持位置よりも奥のロック位置までスライド部材が押し込まれるとスライド部材の取出方向への移動を禁止すると共に、スライド部材がロック位置よりも奥まで一旦押し込まれた状態で押力が解除されるとスライド部材を解放するプッシュオン・プッシュオフ型のロック機構とを備えたものが従来より提供されている（例えば、特許文献１参照）。
【０００３】
上記のようにプッシュオン・プッシュオフ型のロック機構を備えたメモリカード用ソケットにメモリカードを接続する際は、メモリカードをハウジングに挿入して押し込む。そして、スライド部材がメモリカードを介して押力を受け、メモリカードの接続端子がコンタクトに接触する保持位置よりもやや奥のロック位置まで移動したときに、取出方向へのスライド部材の移動がロック機構によって禁止され、メモリカードへの押力を除去した後にもメモリカードが保持位置に留まることになる。一方、メモリカードを抜く際には、ロック位置よりも少し奥にメモリカードを一旦押し込んでからメモリカードへの押力を除去すると、ロック機構がスライド部材を解放し、メモリカードがスライド部材を介して付勢ばねのばね力を受け、ハウジングから押し出される。
【０００４】
【特許文献１】
特許第３２５２１３３号明細書（第３頁−第４頁、及び、第６図）
【０００５】
【発明が解決しようとする課題】
しかしながら、上述したロック機構を備えるメモリカード用ソケットでは、メモリカードを取り出そうとしたときに、付勢ばねのばね力によってメモリカードが勢いよく飛び出してしまい、落下によりメモリカードが破損する虞があった。
【０００６】
メモリカードの飛び出しを防ぐためには、付勢ばねのばね力を弱めることが考えられるが、付勢ばねのばね力を弱めるとメモリカードが押し出される過程でメモリカードがコンタクトから離れる前に、付勢ばねのばね力がコンタクトの接触圧による摩擦力よりも弱くなって、メモリカードが途中で停止するといった動作不良を起こす虞があり、付勢ばねのばね力を弱めることができなかった。
【０００７】
そこで、本発明者らは、上述したロック機構を備えるメモリカード用ソケットにおいて、ハウジングに挿入されたメモリカードの接続端子がコンタクトに接触し始める接触位置よりも浅い位置までしかスライド部材が押し込まれていないときには、スライド部材とメモリカードとのいずれにも接触せず、スライド部材が少なくとも保持位置まで押し込まれているときには、スライド部材とメモリカードの内の少なくとも何れか一方のスライド方向に沿った面に弾接する弾接部をハウジングに設けたものを提案しており、メモリカードを取り出す際、付勢ばねの復帰力が比較的強い状態では弾接部の摩擦力をメモリカード等に作用させてメモリカードが押し出される勢いを減殺し、付勢ばねの復帰力が比較的小さくなった状態では、弾接部の摩擦力が働かないようにしてメモリカードが途中で停止することがないようにしていた。このように、従来は、メモリカードを押し出す力が強い位置で摩擦力を作用させて、メモリカードが押し出される勢いを減殺していた。特にＳＤメモリカードやマルチメディアカードのような比較的大型のメモリカードであれば、ソケットも大きいので弾接部による弾接力を大きくでき、またメモリカードの重量も重いので、弾接部による飛び出し力の減殺効果がある程度得られるが、近年ミニＳＤカードのような小型のメモリカードが普及しつつあり、メモリカードの重量が従来よりも軽く、またソケットも小型にしなければならないため、上述のような弾接部では十分な飛び出し防止効果が得られなかった。
【０００８】
本発明は上記問題点に鑑みて為されたものであり、その目的とするところは、メモリカードの飛び出しを防止したメモリカード用ソケットを提供することにある。
【０００９】
【課題を解決するための手段】
上記目的を達成するために、請求項１の発明は、前部に開口したカード挿入口を通してメモリカードがスライドして挿抜されるハウジングと、ハウジングの内部に保持されメモリカードに設けた接続端子に接触する複数本のコンタクトと、ハウジング内部に挿入されたメモリカードに当接して押力を受け、ハウジングに対してメモリカードの挿抜方向に沿ってスライドするスライド部材と、メモリカードを取り出す際にスライドする取出方向にスライド部材をハウジングに対して付勢する付勢ばねと、メモリカードの接続端子がコンタクトに接触する保持位置よりも奥のロック位置までスライド部材が押し込まれるとスライド部材の前記取出方向への移動を禁止すると共に、スライド部材が前記ロック位置よりも奥まで一旦押し込まれた状態で押力が解除されるとスライド部材を解放するロック機構と、メモリカードにおける接続端子が設けられた面と反対側の面に弾接する弾接部とを備え、当該弾接部は、カード取出時にメモリカードの接続端子がコンタクトと開離してからスライド部材が前端の取出位置に移動するまでの間にメモリカードに形成されたロック用凹部が通過するハウジングの部位に形成されたことを特徴とする。
【００１０】
この発明によれば、カード取出時にメモリカードの接続端子がコンタクトと開離してからスライド部材が前端の取出位置に移動するまでの間にロック用凹部が通過するハウジングの部位に弾接部が設けられているので、メモリカードの取出位置の手前でロック用凹部に弾接部が弾接することで、弾接部のばね力によってメモリカードを押し出そうとする勢いを確実に減殺することができ、メモリカードの飛び出しを防止することができる。
【００１１】
請求項２の発明は、請求項１の発明において、ハウジングは金属の薄板に曲げ加工を施して箱形に形成され、ハウジングにおけるロック用凹部との対向部位に複数本のスリットが並設され、複数本のスリットで挟まれた部位の中間部をメモリカード側に突出させて形成された押さえ片により上記弾接部を構成したことを特徴とし、請求項１の発明の作用に加え、弾接部の構成を簡単にでき、メモリカードの飛び出しを防止した安価なソケットを実現できる。
【００１２】
請求項３の発明は、請求項１の発明において、ハウジングは金属の薄板に曲げ加工を施して箱形に形成され、ハウジングにおけるロック用凹部との対向部位を切り起こして形成され、一端がハウジングに連結されて固定端となり、自由端側がメモリカード側に突出してロック用凹部と弾接する押さえ片により上記弾接部を構成したことを特徴とし、請求項１の発明の作用に加え、弾接部の構成を簡単にでき、メモリカードの飛び出しを防止した安価なソケットを実現できる。
【００１３】
【発明の実施の形態】
以下に本発明の実施の形態を図面に基づいて説明する。
【００１４】
（実施形態１）
本発明の実施形態１を図１〜図３に基づいて説明する。本実施形態では、ミニＳＤカードのようなメモリカードを挿抜自在に接続するソケットを例に説明を行う。尚、ＳＤメモリカードやマルチメディアカードなどの他の種類のメモリカードに対しても、本発明における技術は適用できるものであるから、特にミニＳＤカードに限定されるものではない。
【００１５】
先ずメモリカードの形状について簡単に説明する。図２に示すメモリカードＭＣは従来のＳＤメモリを小型化したミニＳＤカードと呼ばれるもので、扁平な略矩形板状であって、後部（挿入側）の一方の角には切欠部１０１が設けてある。また、メモリカードＭＣ後部の左右両側縁には上向き段部１０２をそれぞれ形成してあり、上記切欠部１０１よりも前側（挿入側と反対側）の位置には上面の左右両側縁に矩形状に窪んだロック用凹部１０３，１０３を形成している。また更に、メモリカードＭＣ後部の下面には複数の接続端子１０４が並行に配列されている（図３参照）。
【００１６】
次に本実施形態のソケットの構造を詳細に説明する。本実施形態は、図示するように厚さが極薄いステンレス金属板を打ち抜き且つ曲げ加工することにより形成されたベースシェル１と、このベースシェル１と同様に厚さが極薄いステンレス金属板を打ち抜き且つ曲げ加工することにより形成され、ベースシェル１上に被着することで前部にメモリカードを挿入するカード挿入口３ａが開口した扁平な箱状のハウジング３をベースシェル１と共に構成するカバーシェル２と、ハウジング３の後部内に装着されるコンタクトブロック４と、コンタクトブロック４の前方側のハウジング３内に前後方向（メモリカードＭＣの挿抜方向）に移動自在に配置されるコ字型の樹脂成形品からなるスライダー５（スライド部材）とを主要な構成要素としたものである。
【００１７】
ベースシェル１は、底板６ａの左右両側に上面（ハウジング３の内側に対応）側方向に折り曲げて形成した側壁６ｂ，６ｂを設けたもので、前後端が開放されている。そして、底板６ａの後端には、コンタクトブロック４の樹脂製基体７に上下方向に貫通させた圧入孔８に下方から圧入してコンタクトブロック４を後部上面に固定する複数個の突出片９を折り曲げ形成している。また、各側壁６ｂには複数の係止孔３５…を貫設してあり、各側壁６ｂの前端にはスライダー５のカード挿入口３ａからの脱落を防止するための突片１８が内側へ突設されている。また、コンタクトブロック４に保持される後述のコンタクト１０…がメモリカードＭＣによって下方に押されたときに底板６ａに接触しないよう、底板６ａにはコンタクト１０…を逃がすための複数の透孔１１…を形成してある。
【００１８】
一方、カバーシェル２は、天板２０ａの左右両側に折り曲げによって下向きの側壁２０ｂ，２０ｂを一体に設けてあり、両側壁２０ｂ，２０ｂには、側壁６ｂ，６ｂの係止孔３５…に対応する位置に弾性係止片３４…が切り起こしによって形成されている。また天板２０ａの後端には所定間隔で複数の下向きの突出片２１を折り曲げ形成している。これらの突出片２１はベースシェル１上にカバーシェル２を被着する際に、ベースシェル１の後部上面に配置されるコンタクトブロック４の基体７上面に開口するように貫設された圧入孔２２に圧入してコンタクトブロック４を固定するためのものである。
【００１９】
また、天板２０ａの左右の端部には、カード取出時にメモリカードＭＣの接続端子１０４がコンタクト１０と開離してからスライダー５が前端の取出位置に移動するまでの間にメモリカードＭＣに形成されたロック用凹部１０３，１０３が通過する部位にそれぞれ２本のスリット２４が左右に並設されており、２本のスリット２４で挟まれた部位には前後方向の中間部が下方へ突出するように折り曲げられ、メモリカードＭＣにおける接続端子１０４が設けられた面と反対側の面に弾接して、メモリカードＭＣをスライダー５に押し付ける押え片２５（弾接部）が設けられている。
【００２０】
コンタクトブロック４は、メモリカードＭＣの後部下面に並行配設した複数の接続端子１０４に夫々接触するコンタクト１０…と、メモリカードＭＣの位置検出用の固定接点板３０及び可動ばね片３１とを樹脂製の基体７にインサート成形によって一体保持させており（図３参照）、基体７の前面側（カード挿入口３ａ側）にはコンタクト１０…、固定接点板３０、及び可動ばね片３１の接触側を突出させ、後面側には回路基板等に夫々を半田付けするための半田付け端子部３２…を突出させている。
【００２１】
基体７の前面には段部を設けてあり、この段部に一端が開口するように上記圧入孔８…を上下方向に貫通させ、さらに基体７の後側上面に一端が開口するように圧入孔２２…を上下方向に貫通させている。また、基体７の長手方向の一端部には前面側に突出する突出片７１が一体に設けられており、この突出片７１の上面にはハートカム溝部１５が形成されている。ハートカム溝部１５は、ハートカム１５ａとハートカム１５ａの周りに形成されたガイド溝１５ｂとで構成され、後述するロック金具１９のガイド軸１９ｂをガイド溝１５ｂに係入し、スライダー５の前後移動に伴い、ガイド溝１５ｂとガイド溝１５ｂの底面に形成した凹凸面（図示せず）とでガイド軸１９ｂのガイド溝１５ｂ内での相対的な移動をガイドするようになっている。なお、カバーシェル２の天板２０ａには、ハートカム溝部１５に対向する部位を切り起こすことによって付勢ばね片２３が形成されており、付勢ばね片２３によってロック金具１９のガイド軸１９ｂがガイド溝１５ｂの底面に形成した凹凸面に押し付けられている。ここに、ハートカム溝部１５とロック金具１９とで、メモリカードＭＣの接続端子１０４がコンタクト１０に接触する保持位置よりも奥のロック位置までスライダー５が押し込まれるとスライダー５の取出方向への移動を禁止すると共に、スライダー５がロック位置よりも奥まで一旦押し込まれた状態で押力が解除されるとスライダー５を解放するロック機構が構成される。
【００２２】
スライダー５は、合成樹脂成形品により略コ字型に形成されたものであって、メモリカードＭＣの左右の側縁をガイドする脚片５ｂ，５ｃと、脚片５ｂ，５ｃの後部上側縁間を連結してメモリカードＭＣの先端上部と当接する当接部５ａとを一体に形成することで略コ字型に形成されたものであり、両脚片５ｂ，５ｃの前部下側縁を平板状の連結片５ｅを介して一体に連結してある。左側の脚片５ｂの後部には内側に突出してメモリカードＭＣの切欠部１０１と当接する張出部５ｄが設けられ、前端部の上面には後述するロック金具１９の回動軸１９ａを軸支する軸穴１４が形成されている。各脚片５ｂ，５ｃはメモリカードＭＣの左右の側部をガイドするものであり、各脚片５ｂ，５ｃの後端部内側面には、上側を下側よりも内側に突出させた段部５０が設けられ、メモリカードＭＣの左右の側縁に設けた上向き段部１０２が各脚片５ｂ，５ｃの段部５０の下側に入り込むようになっている。また、当接部５ａの下面は、連結片５ｅの上面よりも上側に位置しているので、当接部５ａの下面とベースシェル１の底板６ａ上面との間に隙間ができ、スライダー５が押し込まれた時にはコンタクト１０…は当接部５ａの下側を通過して当接部５ａの前方に突出する。
【００２３】
ロック金具１９は細幅の金属板により平面視略く字状に形成され、一端部には上述のガイド軸１９ｂが突設され、他端部には上述の回動軸１９ａが突設されている。また、ロック金具１９の曲がり部の内側縁（メモリカードＭＣ側の側縁）からは側方に突出するロック片１９ｃが一体に形成されている。而して、ロック金具１９は一方のガイド軸１９ｂをハートカム溝部１５のガイド溝１５ｂ内に係入するとともに、他方の回動軸１９ａを脚片５ｂの軸穴１４に軸支させており、スライダー５の前後動作に伴ってガイド軸１９ｂがガイド溝１５ｂにガイドされてハートカム１５ａの周りを移動すると、ロック金具１９が回動軸１９ａを中心として回動し、ロック金具１９の回動に応じてロック片１９ｃが左右方向に移動するのである。
【００２４】
また、両脚片５ｂ，５ｃの下側面には、後面側に開放されコイルばね（付勢ばね）１３，１３の前端部が挿入される溝（図示せず）がそれぞれ形成されている。各コイルばね１３の後端はそれぞればね座片４１，４２を介してコンタクトブロック４に取り付けられている。コンタクトブロック４の基体７の突出片７１下面にはばね座保持溝７１ａが形成されており、一方のばね座片４１は、コイルばね１３に後方から挿入されてコイルばね１３の座屈を防止する座屈防止針４３と、座屈防止針４３の後端から連続一体に延出し、突出片７１のばね座保持溝７１ａに嵌る取付片４４とを有する。また、他方のばね座片４２は、コイルばね１３に後方から挿入されてコイルばね１３の座屈を防止する座屈防止針４５と、座屈防止針４５の後端から延出し、基体７の右端に設けられた結合溝７ａに凹凸結合する取付片４６とを有する。ここで、両脚片５ｂ，５ｃが均等にコイルばね１３，１３の弾発力を前方方向に受けることで、スライダー５がハウジング３内をスムーズに前後方向に摺動できるようになっている。
【００２５】
ところで、上述したように基体７にはメモリカードの挿入を検知する検知スイッチが設けられており、この検知スイッチは固定接点板３０と可動ばね片３１とからなる。固定接点板３０は基体７の突出片７１にインサート成形によって保持され、先端部に設けた固定接点３０ａが突出片７１の内側面から露出している。また可動ばね片３１は基体７から前方に突出する一端側がクランク状に折り曲げられ、さらにその先端部を折り曲げることで平面視の形状がへ字状の弾接部３１ａを連続一体に設けてある。この弾接部３１ａは先端部が固定接点３０ａに対向するとともに、中間部が両側部に対して固定接点３０ａと反対側に突出するように配置されている。
【００２６】
以上説明したようなメモリカード用ソケットを組み立てるに当たっては、コンタクト１０、固定接点板３０及び可動ばね片３１が樹脂製基体７にインサート成形されたコンタクトブロック４の樹脂製基体７にばね座片４１，４２を取り付けた後、ベースシェル１の上面後部にコンタクトブロック４を載置し、ベースシェル１に設けた突出片９…をコンタクトブロック４の圧入孔８…に下方から圧入してコンタクトブロック４をベースシェル１上に固定する。次に、ばね座片４１，４２にコイルばね１３，１３の後部を挿入し、コイルばね１３，１３の前端部を両脚片５ｂ，５ｃの下面に設けた溝内に収めるようにして、スライダー５をベースシェル１の上面前部に載置した後、ロック金具１９の一端の回動軸１９ａを脚片５ｂの軸穴１４内に挿入して、軸穴１４に軸支させるとともに、ロック金具１９の他端のガイド軸１９ｂをガイド溝１５ｂ内に係入する。この状態ではスライダー５がコイルばね１３，１３により付勢されて前方（カード挿入口３ａ側）へ押し動かされ、両脚片５ｂ，５ｃの前端部がベースシェル１の前端に設けた突片１８，１８の裏面に衝合し、スライダー５のそれ以上の前方への移動が規制される。
【００２７】
このようにしてベースシェル１上にコンタクトブロック４、スライダー５を配置するとともに、コイルばね１３，１３、ロック金具１９を装着した後、カバーシェル２を上方からベースシェル１に被せる。この際カバーシェル２に形成した突出片２１…をコンタクトブロック４の基体７の圧入孔２２に上方から圧入するとともに、両側壁２０ｂ，２０ｂをベースシェル１の両側壁６ｂ，６ｂの外側面に沿うように垂下させる。この時、カバーシェル２の両側壁２０ｂに設けた弾性係止片３４…の上向き先部が、ベースシェル１の両側壁６ｂに設けた係止孔３５…に係止されることになり、両シェル１，２が互いに結合されて、扁平で前部にカード挿入口３ａを開口した箱状のハウジング３が形成されると同時に、ソケットが完成することになる。ここで、本実施形態のソケットは、各コンタクト１０…、固定接点板３０、及び可動ばね片３１の半田付け端子部３２…の下面を低くしたＳＭＤ型のソケットであり、また金属製のハウジング３をアースすることで静電気や外部ノイズに強いものとなる。
【００２８】
ここで、メモリカードＭＣを挿着していない状態では、コイルばね１３の弾発力を受けてスライダー５がカード挿入口３ａ側に移動した状態にあり、この時ロック金具１９のガイド軸１９ｂは初期位置（図３のａ）に移動しており、ガイド溝１５ｂ内で最も外側（メモリカードＭＣと反対側）の位置に移動しているので、ロック金具１９が回動軸１９ａを中心として左回りに一杯まで回転し、ロック片１９ｃがメモリカードＭＣのロック用凹部１０３から外に退避している。
【００２９】
次に、メモリカードＭＣをソケットへ挿着する場合の各部の動作について説明する。まずメモリカードＭＣを前後方向及び表裏方向を正規な方向に向けてハウジング３のカード挿入口３ａから挿入すると、メモリカードＭＣの先部がハウジング３内のスライダー５の両脚片５ｂ，５ｃ間に挿入されて、メモリカードＭＣの下面両側部の上向き段部１０２，１０２が段部５０，５０と当接する。更にメモリカードＭＣをハウジング３内に挿入すると、やがてメモリカードＭＣの先部の片側に形成した切欠部１０１がスライダー５の張出部５ｄに衝合するとともに、メモリカードＭＣの先部が当接部５ａと衝合し、スライダー５がメモリカードＭＣの押力を受けて後方へ移動することになる。そして、スライダー５に加わるコイルばね１３，１３の弾発力に抗して更にメモリカードＭＣを押し入れると、メモリカードＭＣの移動に共動してスライダー５が後退することになる。このスライダー５の後退によりロック金具１９のガイド軸１９ｂがハートカム溝部１５のガイド溝１５ｂ内をガイド溝１５ｂ底部の凹凸面によってガイドされながらハートカム１５ａの左側のガイド溝１５ｂ内（図３の位置ｂ）に移動することになる。この時、ガイド軸１９ｂの移動に伴って、ロック金具１９は回動軸１９ａを中心として回動するのであるが、ハートカム１５ａの左側のガイド溝１５ｂは前後方向に沿って略真っ直ぐに延びているので、ロック金具１９の傾きは十分小さく、ロック片１９ｃはメモリカードＭＣのロック用凹部１０３内に係入していない。
【００３０】
そして、メモリカードＭＣをスライダー５の当接部５ａ後面がコンタクトブロック４の基体７前面に当たる位置に近い位置まで押し込むと、ロック金具１９のガイド軸１９ｂがガイド溝１５ｂの後端の位置（図３の位置ｃ）に至ることになり、それ以上の押し込みができなくなる。この位置でメモリカードＭＣに加えていた押し込み力を除去すると、コイルばね１３の弾発力によりスライダー５がメモリカードＭＣと共に前方へ戻りかけるが、ロック金具１９のガイド軸１９ｂがガイド溝１５ｂに案内されながら移動してハートカム１５ａの凹部１５ｃ（図３の位置ｄ）に嵌り込むことになり、これ以上のスライダー５の取出方向への移動が規制されて、スライダー５がロック位置に留まり、メモリカードＭＣもその位置でハウジング３内に留まることになる。
【００３１】
さて上記メモリカードＭＣは押し込みによってその先部が所定位置へ移動すると、各コンタクト１０…の先部がメモリカードＭＣの裏面に形成した対応する接続端子１０４にコンタクト１０…の長さに応じて順次接触することになる。また、図３に示すように前方に突出する可動ばね片３１の弾接部３１ａがメモリカードＭＣの切欠部１０１側面で押されて固定接点３０ａに接触し、検知スイッチがオン状態になるので、このスイッチ信号を利用して外部の検出回路（図示せず）によりメモリカードＭＣが正規位置に挿着されたことを検出することができる。
【００３２】
上述のようにカード保持状態ではスライダー５の取出方向への移動はハートカム１５ａの凹部１５ｃにロック金具１９のガイド軸１９ｂが嵌り込むことで規制されるが、メモリカードＭＣはそのままではハウジング３内より脱落する恐れがある。そこで本実施形態では、スライダー５がカードロック位置へ移動すると、このスライダー５の前後移動に伴って回動するロック金具１９のロック片１９ｃが脚片５ｂの内側（メモリカードＭＣ側）に突出し、その先端部がメモリカードＭＣのロック用凹部１０３に係入しメモリカードＭＣをロックする。この時、カバーシェル２の押え片２５がメモリカードＭＣと当接して、メモリカードＭＣをスライダー５に押し付けるので、メモリカードＭＣの接続端子１０４とコンタクト１０との接圧を確保できる。
【００３３】
以上のように挿着されたメモリカードＭＣをソケットから取り出すときには、まずハウジング３のカード挿入口３ａより露出するメモリカードＭＣの後部を挿入方向に押してスライダー５とともにメモリカードＭＣを挿入方向へ移動させる。この移動によってロック金具１９のガイド軸１９ｂがハートカム１５ａの凹部１５ｃから離脱するとともにガイド溝１５ｂにガイドされて凹部１５ｃより右側のガイド溝１５ｂ内の位置（図３の位置ｅ）へ移動する。この時、ロック金具１９は回動軸１９ａを中心として右回りに回転し、ロック片１９ｃがさらにメモリカードＭＣ側に移動して、ロック片１９ｃの略全体がロック用凹部１０３内に係入する。
【００３４】
その後、メモリカードＭＣの押し込み力を解除すると、スライダー５はコイルばね１３，１３の弾発力により前方へ移動することなる。この移動に伴ってロック金具１９のガイド軸１９ｂはガイド溝１５ｂにガイドされながらハートカム１５ａの右側のガイド溝１５ｂ内（図３の位置ｆ）を通って前方へ移動し、ロック金具１９が回動軸１９ａを中心に左回りに回転して、ロック片１９ｃがロック用凹部１０３から退避する。そして、スライダー５がコイルばね１３，１３の弾発力によりカード挿入口３ａ側へ移動して初期位置に復帰すると、ロック片１９ｃがロック用凹部１０３から外に出て、メモリカードＭＣのロックを解除する。この時、メモリカードＭＣの後部がハウジング３のカード挿入口３ａから外部へ大きく露出し、メモリカードＭＣをハウジング３から取り出すことができることになる。ここで、上述したようにカバーシェル２の天板２０ａには、カード取出時にメモリカードＭＣの接続端子１０４がコンタクト１０と開離してからスライダー５が前端の取出位置に移動するまでの間にロック用凹部１０３が通過する部位に押え片２５が設けられているので、メモリカードＭＣの取出位置の直前でロック用凹部１０３に押え片２５が嵌ることで、押え片２５のばね力によってメモリカードＭＣを押し出そうとする勢いを確実に減殺することができ、メモリカードの飛び出しを防止することができる。なお、押え片２５は、天板２０ａに各２本のスリット２４を併設し、スリット２４で挟まれた部位の中間部が下方へ突出するように折り曲げることで形成されているので、弾接部を簡単な構成で実現でき、メモリカードの飛び出しを防止した安価なソケットを提供できる。
【００３５】
（実施形態２）
本発明の実施形態２を図４〜図７に基づいて説明する。上述の実施形態１では、カバーシェル２の天板２０ａの左右両端部に、それぞれ２本のスリット２４を左右に並設し、２本のスリット２４で挟まれた部位の前後方向中間部を下方へ突出するように折り曲げらて押え片２５を形成しているが、本実施形態では、カード取出時にメモリカードＭＣの接続端子１０４がコンタクト１０と開離してからスライダー５が前端の取出位置に移動するまでの間にメモリカードＭＣに形成されたロック用凹部１０３，１０３が通過する天板２０ａの部位を切り起こすことによって、前端部が天板２０ａに連結されて固定端となり、自由端側が下方に突出して、メモリカードＭＣにおける接続端子１０４が設けられた面と反対側の面に弾接する押え片２６，２６を形成してある。尚、押え片２６以外の構成は実施形態１と同様であるので、共通する構成要素には同一の符号を付して、その説明は省略する。
【００３６】
このようにカバーシェル２の天板２０ａには、カード取出時にメモリカードＭＣの接続端子１０４がコンタクト１０と開離してからスライダー５が前端の取出位置に移動するまでの間にロック用凹部１０３が通過する部位に押え片２６が形成されているので、メモリカードＭＣの取出位置の直前でロック用凹部１０３に押え片２６が嵌ることで、押え片２６のばね力によってメモリカードＭＣを押し出そうとする勢いを確実に減殺することができ、メモリカードの飛び出しを防止することができる。なお、押え片２６は天板２０ａの一部を切り起こして形成されているので、弾接部を簡単な構成で実現でき、メモリカードの飛び出しを防止した安価なソケットを提供できる。
【００３７】
【発明の効果】
以上説明したように、請求項１の発明では、カード取出時にメモリカードの接続端子がコンタクトと開離してからスライド部材が前端の取出位置に移動するまでの間にロック用凹部が通過するハウジングの部位に弾接部が設けられているので、メモリカードの取出位置の手前でロック用凹部に弾接部が弾接することで、弾接部のばね力によってメモリカードを押し出そうとする勢いを確実に減殺することができ、メモリカードの飛び出しを防止できるという効果がある。
【００３８】
また請求項２及び３の発明では、弾接部の構成を簡単にでき、メモリカードの飛び出しを防止した安価なソケットを実現できる。
【図面の簡単な説明】
【図１】実施形態１のメモリカード用ソケットの分解斜視図である。
【図２】同上の外観斜視図である。
【図３】同上のカバーシェルを外した状態の要部拡大図である。
【図４】実施形態２のメモリカード用ソケットの分解斜視図である。
【図５】同上の外観斜視図である。
【図６】同上のカバーシェルを示し、（ａ）は上面図、（ｂ）は側面図、（ｃ）は後面図である。
【図７】同上のカバーシェルを示し、図６のＡ−Ａ断面図である。
【符号の説明】
３    ハウジング
５    スライダー
１０  コンタクト
１３  コイルばね
２５  押え片
【図１】
2004362892.tif 000003
【図２】
2004362892.tif 000004
【図３】
2004362892.tif 000005
【図４】
2004362892.tif 000006
【図５】
2004362892.tif 000007
【図６】
2004362892.tif 000008
【図７】
2004362892.tif 000009